(57)【要約】【課題】排出部材を正転又は正逆転させるための排出部材の駆動機構を簡略化することができる画像形成装置を提供する。【解決手段】画像形成装置１０は、画像形成装置本体１２と、この画像形成装置本体１２内に設けられ、記録媒体に画像を形成する画像形成部１４と、この画像形成部１４により画像が形成された記録媒体を排出する排出部材４８と、この排出部材を正逆に回転させる駆動源を有する駆動源組立体５４と、排出部材４８が逆転して引き戻された記録媒体を反転させて前記画像形成部１４に戻す両面印刷組立体５６と、を有する。駆動源組立体５４と両面印刷組立体５６とは、画像形成装置本体１２に対して別々に着脱自在である。【選択図】図１
2008139407.tif 000002
【特許請求の範囲】
【請求項１】
画像形成装置本体と、
この画像形成装置本体内に設けられ、記録媒体に画像を形成する画像形成部と、
この画像形成部により画像が形成された記録媒体を排出する排出部材と、
この排出部材を正逆に回転させる駆動源と、
前記排出部材が逆転して引き戻された記録媒体を前記画像形成部に戻す両面印刷組立体と、を有し、
前記駆動源と前記両面印刷組立体とは、前記画像形成装置本体に対して別々に着脱自在である画像形成装置。
【請求項２】
画像形成装置本体と、
この画像形成装置本体内に設けられ、記録媒体に画像を形成する画像形成部と、
前記画像形成装置本体内に設けられた第１の駆動源と、
この第１の駆動源により正方向に回転され、前記画像形成部により画像が形成された記録媒体を排出する排出部材と、
この排出部材を正逆に回転させる第２の駆動源を有する駆動源組立体と、
前記排出部材が逆転して引き戻された記録媒体を反転させて前記画像形成部に戻す両面印刷組立体と、を有し、
前記駆動源組立体と前記両面印刷組立体とは、前記画像形成装置本体に対して別々に着脱自在である画像形成装置。
【請求項３】
前記駆動源組立体が前記画像形成装置本体に装着されていない場合には前記第１の駆動源が前記排出部材に連結され、前記駆動源組立体が前記画像形成装置本体に装着されている場合には前記第２の駆動源が前記排出部材に連結されるように切り替える切替手段をさらに有する請求項２記載の画像形成装置。
【請求項４】
前記切替手段は、前記駆動源組立体の着脱に応じて切り替える請求項３記載の画像形成装置。
【請求項５】
前記第２の駆動源による前記排出部材の逆転方向の周速は、前記第１の駆動源又は第２の駆動源による前記搬出部材の正転方向の周速よりも速い請求項２乃至４いずれか記載の画像形成装置。
【請求項６】
前記画像形成装置本体は、第１の側面とこの第１の側面に対向する第２の側面とを有し、前記第１の駆動源は第１の側面側に、前記駆動源組立体は第２の側面側にそれぞれ配置されている請求項２乃至５いずれか記載の画像形成装置。
【請求項７】
前記画像形成装置本体は、第１の側面とこの第１の側面に対向する第２の側面とを有し、前記第１の駆動源及び前記駆動源組立体は、第１の側面側又は第２の側面側のいずれか一方に配置されている請求項２乃至５いずれか記載の画像形成装置。
【請求項８】
前記第１の駆動源及び第２の駆動源を駆動制御する駆動制御部をさらに有し、この駆動制御部は、前記画像形成装置本体の前記第１の駆動源及び前記駆動源組立体が配置された同じ側面側に配置されている請求項７記載の画像形成装置。
【請求項９】
前記両面印刷組立体は、記録媒体を搬送する両面用搬送部材と、この両面用搬送部材を駆動する第３の駆動源とを有する請求項２乃至８いずれか記載の画像形成装置。
【請求項１０】
前記第２の駆動源による記録媒体の逆転方向の搬送速度は、前記第３の駆動源による記録媒体の搬送速度よりも速い請求項９記載の画像形成装置。
【請求項１１】
画像形成装置本体と、
この画像形成装置本体内に設けられ、記録媒体に画像を形成する画像形成部と、
前記画像形成装置本体内に設けられた第１の駆動源と、
この第１の駆動源により正方向に回転され、前記画像形成部により画像が形成された記録媒体を排出する排出部材と、
この排出部材を正逆に回転させる第２の駆動源を有する駆動源組立体と、
前記排出部材が逆転して引き戻された記録媒体を反転させて前記画像形成部に戻す両面印刷組立体と、
前記駆動源組立体が前記画像形成装置本体に装着されていない場合には前記第１の駆動源が前記排出部材に連結され、前記駆動源組立体が前記画像形成装置本体に装着されている場合には前記第２の駆動源が前記排出部材に連結されるように切り替える切替手段と、
を有する画像形成装置。
【請求項１２】
前記切替手段は、前記駆動源組立体の着脱に応じて切り替える請求項１１記載の画像形成装置。
【請求項１３】
画像形成装置本体と、
この画像形成装置本体内に設けられ、記録媒体に画像を形成する画像形成部と、
この画像形成部により画像が形成された記録媒体を排出する排出部材と、を有し、
前記排出部材を正逆に回転させる駆動源を有する駆動源組立体と、前記排出部材が逆転して引き戻された記録媒体を反転させて前記画像形成部に戻す両面印刷組立体とが、前記画像形成装置本体に対して別々に装着できるようにした画像形成装置。
【請求項１４】
画像形成装置本体と、
この画像形成装置本体内に設けられ、記録媒体に画像を形成する画像形成部と、
前記画像形成装置本体内に設けられた第１の駆動源と、
この第１の駆動源により正方向に回転され、前記画像形成部により画像が形成された記録媒体を排出する排出部材と、を有し、
前記排出部材を正逆に回転させる第２の駆動源を有する駆動源組立体と、前記排出部材が逆転して引き戻された記録媒体を反転させて前記画像形成部に戻す両面印刷組立体とが、前記画像形成装置本体に対して別々に装着できるようにした画像形成装置。
【発明の詳細な説明】
【技術分野】
【０００１】
本発明は、プリンタ、複写機、ファクシミリ等の画像形成装置に関する。
【背景技術】
【０００２】
この種の画像形成装置において、排出部材の正回転により一旦途中まで排出された記録媒体を該排出部材の逆回転により再び取り込んで搬送する反転搬送組立体が装着自在であり、排出部材を正回転させるための第１の駆動経路が、反転搬送組立体の装着により前記駆動源の駆動力の前記排出部材への伝達を立ち切られ、前記反転搬送組立体が、駆動源の駆動力を、排出部材に、正転逆転自在に伝達する第２の駆動経路を有するようにしたものが知られている（例えば特許文献１）。
【０００３】
【特許文献１】特開２００２−１４５５３７号公報
【発明の開示】
【発明が解決しようとする課題】
【０００４】
本発明の目的は、排出部材を正転又は正逆転させるための排出部材の駆動機構を簡略化することができる画像形成装置を提供することにある。
【課題を解決するための手段】
【０００５】
請求項１に係る本発明は、画像形成装置本体と、この画像形成装置本体内に設けられ、記録媒体に画像を形成する画像形成部と、この画像形成部により画像が形成された記録媒体を排出する排出部材と、この排出部材を正逆に回転させる駆動源と、前記排出部材が逆転して引き戻された記録媒体を前記画像形成部に戻す両面印刷組立体と、を有し、前記駆動源と前記両面印刷組立体とは、前記画像形成装置本体に対して別々に着脱自在である画像形成装置である。
【０００６】
請求項２に係る本発明は、画像形成装置本体と、この画像形成装置本体内に設けられ、記録媒体に画像を形成する画像形成部と、前記画像形成装置本体内に設けられた第１の駆動源と、この第１の駆動源により正方向に回転され、前記画像形成部により画像が形成された記録媒体を排出する排出部材と、この排出部材を正逆に回転させる第２の駆動源を有する駆動源組立体と、前記排出部材が逆転して引き戻された記録媒体を反転させて前記画像形成部に戻す両面印刷組立体と、を有し、前記駆動源組立体と前記両面印刷組立体とは、前記画像形成装置本体に対して別々に着脱自在である画像形成装置である。
【０００７】
請求項３に係る本発明は、前記駆動源組立体が前記画像形成装置本体に装着されていない場合には前記第１の駆動源が前記排出部材に連結され、前記駆動源組立体が前記画像形成装置本体に装着されている場合には前記第２の駆動源が前記排出部材に連結されるように切り替える切替手段をさらに有する請求項２記載の画像形成装置である。
【０００８】
請求項４に係る本発明は、前記切替手段が前記駆動源組立体の着脱に応じて切り替える請求項３に記載した画像形成装置である。
【０００９】
請求項５に係る本発明は、前記第２の駆動源による前記排出部材の逆転方向の周速は、前記第１の駆動源又は第２の駆動源による前記搬出部材の正転方向の周速よりも速い請求項２乃至４いずれか記載の画像形成装置である。
【００１０】
請求項６に係る本発明は、前記画像形成装置本体は、第１の側面とこの第１の側面に対向する第２の側面とを有し、前記第１の駆動源は第１の側面側に、前記駆動源組立体は第２の側面側にそれぞれ配置されている請求項２乃至５いずれか記載の画像形成装置である。
【００１１】
請求項７に係る本発明は、前記画像形成装置本体は、第１の側面とこの第１の側面に対向する第２の側面とを有し、前記第１の駆動源及び前記駆動源組立体は、第１の側面側又は第２の側面側のいずれか一方に配置されている請求項２乃至５いずれか記載の画像形成装置である。
【００１２】
請求項８に係る本発明は、前記第１の駆動源及び第２の駆動源を駆動制御する駆動制御部をさらに有し、この駆動制御部は、前記画像形成装置本体の前記第１の駆動源及び前記駆動源組立体が配置された同じ側面側に配置されている請求項７記載の画像形成装置である。
【００１３】
請求項９に係る本発明は、前記両面印刷組立体は、記録媒体を搬送する両面用搬送部材と、この両面用搬送部材を駆動する第３の駆動源とを有する請求項２乃至８いずれか記載の画像形成装置である。
【００１４】
請求項１０に係る本発明は、前記第２の駆動源による記録媒体の逆転方向の搬送速度は、前記第３の駆動源による記録媒体の搬送速度よりも速い請求項８記載の画像形成装置である。
【００１５】
請求項１１に係る本発明は、画像形成装置本体と、この画像形成装置本体内に設けられ、記録媒体に画像を形成する画像形成部と、前記画像形成装置本体内に設けられた第１の駆動源と、この第１の駆動源により正方向に回転され、前記画像形成部により画像が形成された記録媒体を排出する排出部材と、この排出部材を正逆に回転させる第２の駆動源を有する駆動源組立体と、前記排出部材が逆転して引き戻された記録媒体を反転させて前記画像形成部に戻す両面印刷組立体と、前記駆動源組立体が前記画像形成装置本体に装着されていない場合には前記第１の駆動源が前記排出部材に連結され、前記駆動源組立体が前記画像形成装置本体に装着されている場合には前記第２の駆動源が前記排出部材に連結されるように切り替える切替手段と、を有する画像形成装置である。
【００１６】
請求項１２に係る本発明は、前記切替手段が前記駆動源組立体の着脱に応じて切り替える請求項１１に記載した画像形成装置である。
【００１７】
請求項１３に係る本発明は、画像形成装置本体と、この画像形成装置本体内に設けられ、記録媒体に画像を形成する画像形成部と、この画像形成部により画像が形成された記録媒体を排出する排出部材と、を有し、前記排出部材を正逆に回転させる駆動源を有する駆動源組立体と、前記排出部材が逆転して引き戻された記録媒体を反転させて前記画像形成部に戻す両面印刷組立体とが、前記画像形成装置本体に対して別々に装着できるようにした画像形成装置である。
【００１８】
請求項１４に係る本発明は、画像形成装置本体と、この画像形成装置本体内に設けられ、記録媒体に画像を形成する画像形成部と、前記画像形成装置本体内に設けられた第１の駆動源と、この第１の駆動源により正方向に回転され、前記画像形成部により画像が形成された記録媒体を排出する排出部材と、を有し、前記排出部材を正逆に回転させる第２の駆動源を有する駆動源組立体と、前記排出部材が逆転して引き戻された記録媒体を反転させて前記画像形成部に戻す両面印刷組立体とが、前記画像形成装置本体に対して別々に装着できるようにした画像形成装置である。
【発明の効果】
【００１９】
請求項１に係る本発明によれば、排出部材を正逆に回転させるのに両面印刷組立体又は画像形成装置本体側から駆動を受ける必要性が無くなり、排出部材の駆動機構を簡略化することができる。
【００２０】
請求項２に係る本発明によれば、排出部材を正方向に回転させる場合は、画像形成装置本体側の第１の駆動源から駆動を受けることができ、排出部材を正逆に回転させる場合は、駆動源組立体の第２の駆動源から駆動を受けることができ、排出部材の駆動機構を簡略化することができる。
【００２１】
請求項３に係る本発明によれば、請求項２に係る発明の効果に加えて、正方向に回転させる場合と正逆に回転させる場合とで、本発明を用いない場合と比べて、切り替え作業を簡単に行うことができる。
【００２２】
請求項４に係る本発明によれば、請求項３に係る本発明の効果に加えて、本発明を用いない場合と比べて駆動源組立体の着脱に連動して容易に駆動源を切り替えることができる。
【００２３】
請求項５に係る本発明によれば、請求項２乃至４いずれかに係る本発明の効果に加えて、両面印刷時の印刷速度を向上させることができる。
【００２４】
請求項６に係る本発明によれば、請求項２乃至５いずれかに係る本発明の効果に加えて、第１の駆動源と駆動源組立体とを対向する側面に分けて配置することができ、配置自由度が増すと共に画像形成装置を小型化することができる。
【００２５】
請求項７に係る本発明によれば、請求項２乃至５いずれかに係る本発明の効果に加えて、第１の駆動源と駆動源組立体とを対向する側面の一方側に集中して配置することができ、配線等を簡略化することができる。
【００２６】
請求項８に係る本発明によれば、請求項７に係る本発明の効果に加えて、駆動制御部からの配線等を簡略化することができる。
【００２７】
請求項９に係る本発明によれば、請求項２乃至８いずれかに係る本発明の効果に加えて、画像形成装置本体の被駆動体は第１の駆動源により駆動させ、排出部材は第２の駆動源により駆動させ、両面印刷組立体の被駆動体は第３の駆動源により駆動させることができ、駆動機構を簡略化することができる。
【００２８】
請求項１０に係る本発明によれば、請求項９に係る本発明の効果に加えて、記録部材に引っ張り力が作用するおそれを少なくすることができる。
【００２９】
請求項１１に係る本発明によれば、排出部材を正転させる場合と正逆転させる場合とで駆動源を切り替えることができ、それぞれの場合で排出部材の駆動機構を簡略化することができる。
【００３０】
請求項１２に係る本発明によれば、請求項１１に係る本発明の効果に加えて、本発明を用いない場合と比べて駆動源組立体の着脱に連動して容易に駆動源を切り替えることができる。
【００３１】
請求項１３に係る本発明によれば、画像形成装置の基本構成を簡略化するとができ、駆動源組立体及び両面印刷組立体を要望に応じて画像形成装置に装着することができ、装着した場合には、排出部材の駆動機構を簡略化することができる。
【００３２】
請求項１４に係る本発明によれば、画像形成装置の基本構成を簡略化するとができ、駆動源組立体及び両面印刷組立体を要望に応じて画像形成装置に装着することができ、装着した場合には、排出部材を正転させるときは、画像形成装置本体側の第１の駆動源から駆動を受けることができ、排出部材を正逆転するときは、駆動源組立体の第２の駆動源から駆動を受けることができ、排出部材の駆動機構を簡略化することができる。
【発明を実施するための最良の形態】
【００３３】
以下、本発明の実施形態を説明する。尚、以下の説明は本発明を実施するのにあたっての一例に過ぎず、本発明が以下に説明される事項に限定されるわけではなく必要に応じて適宜変更可能である。
図１及び図２において、画像形成装置１０は、画像形成装置本体１２を有し、この画像形成装置本体１２内に画像形成部１４が設けられている。また、この画像形成装置本体１２の上部に排出部１６が設けられていると共に、この画像形成装置本体１２の下部に給紙組立体１８が配置されている。
【００３４】
給紙組立体１８は、記録媒体が収納され、画像形成装置本体１２に引き出し自在に設けられた給紙カセット２０を有する。また、この給紙組立体１８は、給紙部材２２ａ、２２ｂと捌き部材２４とを有し、この給紙部材２２ａ，２２ｂと捌き部材２４との協働により給紙カセット２０に積載された記録媒体がレジスト部材２６に分離給送される。
【００３５】
画像形成部１４は、例えば電子写真式のもので、感光体からなる像保持体２８と、この像坦持体２８を一様帯電する例えば帯電ロールからなる帯電装置３０と、この帯電装置３０により帯電された像保持体２８に、光により潜像を書き込む光書込み装置３２と、この光書込み装置３２により形成された像保持体２８の潜像を可視化する現像装置３４と、現像装置３４による現像剤像を記録媒体に転写する転写装置３６と、像保持体２８に残存する現像剤をクリーニングするクリーニング装置３８と、転写装置３６により転写された記録媒体上の現像剤像を記録媒体に定着させる例えば加圧ロールと加熱ロールとからなる定着装置４０とから構成されている。光書込み装置３２は、例えば走査型のレーザ露光装置からなり、プロセスカートリッジ４６内を横切り、像保持体２８に潜像を形成する。クリーニング装置３８は、像保持体２８に接触するクリーニングブレード４２と、このクリーニングブレード４２で掻き落とされた現像剤を収納する現像剤回収部４４とを有する。なお、光書込み装置３２は、他の実施形態としてＬＥＤや面発光レーザ等を用いることができる。
【００３６】
プロセスカートリッジ４６は、像保持体２８、帯電装置３０、現像装置３４及びクリーニング装置３８を一体化したものであり、これらを一体として交換できるようになっている。
【００３７】
レジスト部材２６の後流側には、像保持体２８と転写装置３６との間、定着装置４０及び排出部材４８を介して排出部１６へ至る主搬送路５０が形成されている。画像形成装置１０において、片面印刷が指定された場合は、給紙組立体１８の給紙カセット２０から給紙部材２２ａ,２２ｂにより送り出された記録媒体は、レジスト部材２４により一時停止され、タイミングをとって主搬送路５０へ搬送され、像保持体２８と転写装置３６との間を通過することにより片面に現像剤像が形成され、定着装置４０により現像剤像が定着され、排出部材４８の正転により排出部１６へ排出される。
【００３８】
例えばモータからなる第１の駆動源５２は、画像形成装置本体１２内に設けられており、搬送部材２２ａ，２２ｂ、像保持体２８、帯電装置３０、現像装置３４、転写装置３６及び定着装置４０に例えば歯車列を介して連結され、これらを駆動する。また、第１の駆動源５２は、図２に示される基本構成時には、排出部材４８に連結され、排出部材４８を正転（記録媒体を排出する方向の回転）駆動する。
【００３９】
駆動源組立体５４及び両面印刷組立体５６は、画像形成装置本体１２に対して別々に着脱自在であり、図１に示す両面印刷機能を付加した状態にあっては画像形成装置本体１２に装着され、図２に示す基本構成の状態にあっては外されて、代わりの筐体部分のみが画像形成装置本体１２に設けれるようになっている。
【００４０】
駆動源組立体５４は、例えばモータからなる第２の駆動源５８を有し、この第２の駆動源５８は正逆回転可能であり、排出部材４８を正逆駆動するようになっている。
【００４１】
両面印刷組立体５６は、反転路６０の一部が形成されていると共に、両面印刷用搬送部材６２ａ,６２ｂが設けられている。反転路６０は、排出部材４８の手前で主搬送路５０から分かれ、レジスト部材２４まで戻るように形成されている。また、両面印刷組立体５６は、例えばモータからなる第３の駆動源６４を有する。この第３の駆動源６４は、両面用搬送部材６２ａ，６２ｂに連結され、これら両面用搬送部材６２ａ，６２ｂを反転方向へ駆動する。
【００４２】
また、画像形成装置本体１２の正面（図１及び図２の左側面）には、手差し組立体６６が画像形成装置本体１２に対して開閉自在に設けれている。この手差し組立体６６には記録媒体を収容する手差し収容部６８と手差し送り出し部材７０とを有し、この手差し送り出し部材７０の回転により手差し収容部６８に収容された用紙が送り出される。手差し送り出し部材７０の後流側は反転路６０に接続され、その接続部分に手差し両面兼用搬送部材７２が設けられている。
【００４３】
両面印刷を行う場合は、排出部材４８に記録媒体の後端手前がかかる時点で排出部材４８が逆転（記録媒体を引き込む方向の回転）し、記録媒体が引き戻されて記録媒体が反転路６０に導かれ、両面用搬送部材６２ａ，６２ｂ及び両面兼手差し用搬送部材７２により反転路６０に沿って記録媒体をレジスト部材２４に当たるまで搬送し、レジスト部材２４により一時停止され、タイミングをとって主搬送路５０へ搬送され、像保持体２８と転写装置３６との間を通過することにより残りの片面に現像剤像が形成され、定着装置４０により現像剤像が定着され、排出部材４８の正転により排出部１６へ排出される。
【００４４】
ここで、第２の駆動源５８による排出部材４８の逆転方向の周速は、第１の駆動源５２又は第２の駆動源５８による搬出部材の正転方向の周速よりも絶対値において速くなるように設定されており、記録媒体を引き戻す場合の記録媒体の搬送速度Ｖ１が記録媒体を排出する場合の記録媒体の搬送速度Ｖ２よりも速く、そのため記録媒体を速く引き込むことができるようになっている。
【００４５】
また、排出部材４８を介して第２の駆動源５８の駆動により搬送される記録媒体の逆転方向の搬送速度Ｖ１は、両面用搬送部材６２ａ，６２ｂを介して前記第３の駆動源６４の駆動により搬送される記録媒体の搬送速度Ｖ３よりも速くなるように設定されており、記録媒体を排出部材４８から両面用搬送部材６２ａ，６２ｂへ受け渡す場合に記録媒体に引っ張り力が作用しないようにしている。
【００４６】
なお、上述した給紙カセット２０には記録媒体搬送パス７４が設けられている。この記録媒体搬送パス７４により、複数の給紙カセットを多段に重ねて配置した場合、下側に配置された他の給紙カセットより供給された記録媒体が搬送されるようになっている。また、画像形成装置本体１２内には、第１の駆動源５２、第２の駆動源５８、第３の駆動源６４等の駆動を制御する駆動制御部７６が設けられている。
【００４７】
次に排出部材４８の駆動機構について説明する。
図３乃至図５において、本発明に係る第１の実施形態が示されている。
図３において、画像形成装置本体１２は、正面７８、背面８０、第１の側面８２及び第２の側面８４とを有する。第１の側面８２と第２の側面８４とは、正面７８と背面８０とを結び、互いに対向して配置されている。
【００４８】
前述した第１の駆動源５２は、例えば第１の側面８２側に配置され、駆動源組立体５４は第２の側面８４側に配置されている。なお、「側面側」とは、第１の側面８２と第２の側面８４との間の中央よりもいずれか一方に寄っている状態をいう。
【００４９】
図４及び図５に示すように、排出部材４８は、第１の従動歯車８６と第２の従動歯車８８とが排出部材４８の両側に設けられている。第１の従動歯車８６は、軸方向のみに移動自在であり、図５の２点鎖線で示す位置にある場合は、第１の駆動源の最終段の歯車である第１の駆動歯車９０に噛み合い、図５の実線で示す位置にある場合は、第１の駆動歯車９０との噛み合いが解除される。第１の従動歯車８６の軸方向の移動は例えば手動により行われる。
【００５０】
第２の従動歯車８８は、排出部材４８に固定され、駆動源組立体５４に設けれた第２の駆動歯車９２に噛み合うようになっている。駆動源組立体５４は、第２の駆動源５８の出力歯車９４に第２の駆動歯車９２が噛み合って構成されている。
【００５１】
図２に示した基本構成の場合は、駆動源組立体５４は画像形成装置本体１２に装着されておらず、第１の駆動源５２と第１の従動歯車８６とが連結され、排出部材４８は正転のみ行われるようになる。この状態から図１に示した両面印刷機能を付加させる場合は、第１の従動歯車８６を軸方向に移動させて第１の駆動歯車９０との噛み合いを解除すると共に、駆動源組立体５４を画像形成装置本体１２に装着して、第２従動歯車８８と第２の駆動歯車９２とを噛み合わせればよく、これにより排出部材４８は正逆回転できるようになる。
【００５２】
図６において、本発明に係る第２の実施形態が示されている。前述した第１の実施形態においては、駆動源組立体５４が第２の駆動源５４と第２の駆動歯車９２とから構成されているのに対し、この第２の実施形態においては、駆動源組立体５４は、第２の駆動源５４及び第２の駆動歯車９２に加えて、第２の従動歯車８８とカップリング部９６とを含む。従動歯車８８とカップリング部９６とは固定され、カップリング部９６には係合部９８が軸方向に突出して形成されている。一方、排出部材４８の一端には、凹状に形成された被係合部１００が設けられており、この被係合部１００にカップリング部９６の係合部９８が係合している。したがって、この実施形態における駆動源組立体５４は、第２の駆動源５４、第２の駆動歯車９２、第２の従動歯車８８及びカップリング部９６が一体となって画像形成装置本体１２に着脱することができる。
【００５３】
図７において、本発明に係る第３の実施形態が示されている。前述した第１の実施形態においては、第１の従動歯車８６は手動にて移動するように構成しているが、この第３の実施形態においては、駆動源組立体５４の着脱と連動して第１の従動歯車８６を移動できるようにしている。即ち、排出部材４８と平行であるように画像形成装置本体１２に固定されたスリーブ１０２に切替手段としての押圧棒１０４が摺動自在に挿入されている。駆動源組立体５４を画像形成装置本体１２に装着する際に駆動源組立体５４に押圧棒１０４の一端が押され、これにより、図７の２点鎖線で示すように、押圧棒１０４の他端が第１の従動歯車８６を押圧して排出部材４８の軸方向に移動させ、第１の従動歯車８６と第１の駆動歯車９０との噛み合いを解くようになっている。
【００５４】
図８において、本発明に係る第４の実施形態が示されている。前述した第３の実施形態においては、切替手段が機械的なものであったのに対し、この第４の実施形態においては、切替手段が電気的なものとなっている。即ち、駆動制御部７６には、駆動源組立体５４の着脱と連動してオンオフされる検出スイッチ１０６が接続され、この検出スイッチ１０６の検出結果に応じて、排出部材４８と第１の従動歯車８６との間に設けられた電磁クラッチ１０８がオンオフされるようになっている。駆動源組立体５４が装着された場合には、検出スイッチ１０６がオンとなり、駆動制御部７６により電磁クラッチ１０８がオフとなり、第１の駆動歯車９０が回転しても第１の従動歯車８６は空回転し、第１の駆動源５２からの駆動力は排出部材４８には伝達されなくなる。したがって、排出部材４８は、駆動源組立体５４の第２の駆動源５８からの駆動力のみが伝達されるので、排出部材４８を正逆回転できるようにすることができる。
【００５５】
図９乃至図１１において、本発明に係る第５の実施形態が示されている。前述した第１の実施形態においては、第１の駆動源５２と駆動源組立体５４とを画像形成装置本体１２の側面両側に配置したのに対し、この第５の実施形態においては、図９に示すように、第１の駆動源５２と駆動源組立体５４とを例えば第２の側面８４側に配置されている。また、この第２の側面８４側には駆動制御部７６が配置されており、この駆動制御部７６と第１の駆動源５２及び駆動源組立体５４とを同じ側面側で配線することができる。
【００５６】
排出部材４８の一端には、第１の従動歯車８６と並べて第２の従動歯車８８が固定されている。画像形成装置の基本構成時には、第１の駆動源５２に連結された第１の駆動歯車９０に第１の従動歯車８６が噛み合っている。この状態から駆動源組立体５４を画像形成装置本体１２に装着すると、図１０に示すように、駆動源組立体５４の第２の駆動歯車９２が第２の従動歯車８８に噛み合うと共に、第１の従動歯車８６と第１の駆動歯車９０との噛み合いが解かれる。
【００５７】
この第５の実施形態においては、図１１に示すように、第１の駆動歯車９０と第１の従動歯車８６との間には例えば２つの連結歯車１１０ａ，１１０ｂが介在されている。この連結歯車１１０ａ，１１０ｂは、支持部材１１２に回転自在に支持されている。この支持部材１１２は、支点１１４を介して画像形成装置本体１２に支持されている。また、この支持部材１１２には、付勢部材１１６が接続され、この付勢部材１１６により連結歯車１１０ａ，１１０ｂが第１の駆動歯車９０と第１の従動歯車８６に噛み合う方向に付勢されている。また、支持部材１１２には、レバー部１１８が水平やや上方に向けて設けれており、駆動源組立体５４を装着する際には駆動源組立体５４から下方へ向けて押圧される。レバー部１１８が下方へ向けて押圧されると、支持部材１１２が支点１１４を中心として反時計方向に回転し、連結歯車１１０ａ，１１０ｂが第１の駆動歯車９０と第１の従動歯車８６とから離れ、第１の駆動歯車９０と第１の従動歯車８６との連結が絶たれる。
【図面の簡単な説明】
【００５８】
【図１】本発明の第１の実施形態に係る画像形成装置において、両面印刷機能を付加した状態を示す側面図である。
【図２】本発明の第１の実施形態に係る画像形成装置において、基本構成の状態を示す側面図である。
【図３】本発明の第１の実施形態に係る画像形成装置を示す平面図である。
【図４】本発明の第１の実施形態に係る画像形成装置における排出部材の駆動機構を示す斜視図である。
【図５】本発明の第１の実施形態に係る画像形成装置における排出部材の駆動機構を示す断面図である。
【図６】本発明の第２の実施形態に係る記画像形成装置における排出部材の駆動機構を示す平面図である。
【図７】本発明の第３の実施形態に係る画像形成装置における排出部材の駆動機構を示す断面図である。
【図８】本発明の第４の実施形態に係る画像形成装置における排出部材の駆動機構を示す概略図である。
【図９】本発明の第５の実施形態に係る画像形成装置を示す平面図である。
【図１０】本発明の第５の実施形態に係る画像形成装置における排出部材の駆動機構を示す平面図である。
【図１１】本発明の第５の実施形態に係る画像形成装置における排出部材の駆動機構を示す側面図である。
【符号の説明】
【００５９】
１０  画像形成装置
１２  画像形成装置本体
１４  像形成部
４８  排出部材
５０  主搬送路
５２  第１の駆動源
５４  駆動源組立体
５６  第２の駆動源
６０  反転路
６２ａ，６２ｂ  両面用搬送部材
６４  第３の駆動源
７６  駆動制御部
８２  第１の側面
８４  第２の側面
８６  第１の従動歯車
８８  第２の従動歯車
９０  第１の駆動歯車
９２  第２の駆動歯車
１０２  スリーブ
１０４  押圧棒
１０６  検出スイッチ
１０８  電磁クラッチ
１１８  レバー部
【図１】
2008139407.tif 000003
【図２】
2008139407.tif 000004
【図３】
2008139407.tif 000005
【図４】
2008139407.tif 000006
【図５】
2008139407.tif 000007
【図６】
2008139407.tif 000008
【図７】
2008139407.tif 000009
【図８】
2008139407.tif 000010
【図９】
2008139407.tif 000011
【図１０】
2008139407.tif 000012
【図１１】
2008139407.tif 000013